(57)【要約】本発明は、ネットワークを介した空気調和装置の遠隔制御を制限するシステム、情報処理装置、空気調和装置、方法およびプログラムを提供することを目的とする。本発明は、空気調和装置を遠隔制御するシステムであって、空気調和装置の状態に応じて、当該空気調和装置の遠隔制御を制限する制限手段を含み、制限手段は、空気調和装置の保守管理が行われている場合に、当該空気調和装置の遠隔制御を制限することを特徴とする。また、空気調和装置は、保守管理が行われている場合に、遠隔制御を受け付けないモードに切り替えることを特徴とする。
2021074984.tif 000002
【特許請求の範囲】
【請求項１】
空気調和装置を遠隔制御するシステムであって、  前記空気調和装置の状態に応じて、当該空気調和装置の遠隔制御を制限する制限手段  を含む、システム。
【請求項２】
前記制限手段は、前記空気調和装置の保守管理が行われている場合に、当該空気調和装置の遠隔制御を制限することを特徴とする、  請求項１に記載のシステム。
【請求項３】
前記空気調和装置は、  保守管理が行われている場合に、遠隔制御を受け付けないモードに切り替えることを特徴とする、  請求項１または２に記載のシステム。
【請求項４】
前記空気調和装置の遠隔制御は、前記空気調和装置の動作をリアルタイムで制御する第１の指令および前記空気調和装置の動作を予約する第２の指令のうち、少なくとも１つの指令に基づいて行われ、  前記制限手段は、  前記空気調和装置の状態に応じて、前記第１の指令の送信を制限することを特徴とする、  請求項１〜３のいずれか１項に記載のシステム。
【請求項５】
前記空気調和装置の遠隔制御に係る操作画面を表示する表示手段を含み、  前記表示手段は、前記空気調和装置の状態に応じて、前記制限手段による制限が行われている旨を前記操作画面に表示することを特徴とする、  請求項１〜４のいずれか１項に記載のシステム。
【請求項６】
空気調和装置を遠隔制御する情報処理装置であって、  前記空気調和装置の状態に応じて、当該空気調和装置の遠隔制御を制限する制限手段  を含む、情報処理装置。
【請求項７】
ネットワークを介して情報処理装置からの遠隔制御が可能な空気調和装置であって、  当該空気調和装置の状態に応じて、前記情報処理装置からの遠隔制御を受け付けないモードに切り替えることを特徴とする、  空気調和装置。
【請求項８】
空気調和装置を遠隔制御する情報処理装置が実行する方法であって、  前記空気調和装置の状態を受信するステップと、  前記受信するステップにおいて受信した前記空気調和装置の状態に応じて、当該空気調和装置の遠隔制御を制限するモードに切り替えるステップと  を含む、方法。
【請求項９】
空気調和装置を遠隔制御する情報処理装置が実行する方法であって、前記情報処理装置を  前記空気調和装置の状態に応じて、当該空気調和装置の遠隔制御を制限する制限手段  として機能させるプログラム。  
【発明の詳細な説明】
【技術分野】
【０００１】  本発明は、ネットワークを介して空気調和装置を遠隔制御するシステム、情報処理装置、空気調和装置、方法およびプログラムに関する。
【背景技術】
【０００２】  いわゆるＩｏＴ（Internet of Things）の普及に伴い、家電製品をネットワークに接続し、外出先から家電に対して種々の制御を行う技術が実用化されている。【０００３】  例えば、エアコンなどの空気調和装置をネットワーク接続し、外出先から遠隔制御する技術が知られている（例えば、特許文献１など）。特許文献１によれば、ユーザは外出しながら、室内環境を所望の状態とすることができ、ユーザの帰宅時における快適性を向上することができる。【０００４】  しかしながら、特許文献１などの従来技術は、何らの制限もなく遠隔制御を行うものであることから、不便が生じる場合があった。例えば、室内にいるユーザがエアコンの掃除をしている間に、遠隔制御による操作が行われ、エアコンが作動すると、ユーザが怪我をする虞があった。また、例えば、自動的にメンテナンスを行う機能を有するエアコンなどの場合には、メンテナンス実行中に遠隔制御が行われると、メンテナンスを中断することとなり、適切なメンテナンスが行われないという問題が生じ得た。【０００５】  そのため、ネットワークを介した空気調和装置の遠隔制御において、さらなる利便性の向上が求められていた。
【先行技術文献】
【特許文献】
【０００６】
【特許文献１】特開第２０１８−１９５８９５号公報
【発明の概要】
【発明が解決しようとする課題】
【０００７】  本発明は、上記従来技術における課題に鑑みてなされたものであり、ネットワークを介した空気調和装置の遠隔制御を制限するシステム、情報処理装置、空気調和装置、方法およびプログラムを提供することを目的とする。
【課題を解決するための手段】
【０００８】  すなわち、本発明によれば、  空気調和装置を遠隔制御するシステムであって、  前記空気調和装置の状態に応じて、当該空気調和装置の遠隔制御を制限する制限手段  を含む、システムが提供される。
【発明の効果】
【０００９】  本発明によれば、ネットワークを介した空気調和装置の遠隔制御を制限するシステム、情報処理装置、空気調和装置、方法およびプログラムが提供できる。
【図面の簡単な説明】
【００１０】
【図１】本実施形態におけるシステム全体のハードウェアの概略構成を示す図。
【図２】本実施形態の各装置に含まれるハードウェア構成を示す図。
【図３】本実施形態のシステムを構成する各装置に含まれるソフトウェアブロック図。
【図４】本実施形態の情報処理装置において表示される画面の例を示す図。
【図５】本実施形態の情報処理装置において表示される画面の例を示す図。
【図６】本実施形態におけるシステムを構成する各装置が実行する処理を示すシーケンス図。
【図７】本実施形態において空気調和装置がメンテナンス中である場合の情報処理装置に表示される遠隔制御画面の例を示す図。
【発明を実施するための形態】
【００１１】  以下、本発明を、実施形態をもって説明するが、本発明は後述する実施形態に限定されるものではない。なお、以下に参照する各図においては、共通する要素について同じ符号を用い、適宜その説明を省略するものとする。
【００１２】  図１は、本実施形態におけるシステム１００全体のハードウェアの概略構成を示す図である。図１では、例として、空気調和装置１１０と、情報処理装置１２０とが、ネットワーク１３０を介して接続された構成のシステム１００を例示している。なお、空気調和装置１１０や情報処理装置１２０の台数は、図１に示したものに限らず、システム１００に含まれる台数に制限はない。また、空気調和装置１１０や情報処理装置１２０から、ネットワーク１３０へ接続する方法は、有線または無線のどちらでもよい。
【００１３】  空気調和装置１１０は、冷媒配管を介して接続される室内機および室外機から構成され、冷媒が熱交換しながら室内機および室外機を循環することで、室内の空気調和を行うことができる。空気調和の例としては、冷房、暖房、除湿などが挙げられる。
【００１４】  情報処理装置１２０は、例えば、スマートホン端末のような装置であって、インストールされた種々のアプリケーションを実行することができる。本実施形態では、情報処理装置１２０は、ネットワーク１３０を介して空気調和装置１１０の動作を遠隔制御することができる。なお、説明する実施形態では、情報処理装置１２０の例としてスマートホン端末を挙げているが、特に実施形態を限定するものではなく、スマートホン端末以外の装置であってもよい。
【００１５】  ネットワーク１３０は、一例としてインターネットを挙げることができる。ネットワーク１３０には、システム１００全体を制御するサーバのような装置（不図示）が接続され、本実施形態に係るサービスを提供する。ネットワーク１３０および図示しないサーバは、いわゆるクラウドとして構成され、これによって、情報処理装置１２０は、アプリケーションを介した遠隔制御を行うことができる。
【００１６】  次に、空気調和装置１１０および情報処理装置１２０のハードウェア構成について説明する。図２は、本実施形態の各装置に含まれるハードウェア構成を示す図である。図２（ａ）は、空気調和装置１１０のハードウェア構成を示し、図２（ｂ）は、情報処理装置１２０のハードウェア構成を示している。
【００１７】  まず、図２（ａ）を参照して、空気調和装置１１０のハードウェア構成について説明する。空気調和装置１１０は、ＣＰＵ２１１と、ＲＡＭ２１２と、ＲＯＭ２１３と、通信Ｉ／Ｆ２１４と、熱交換ユニット２１５と、センサ２１６とを含んで構成され、各ハードウェアはバスを介して接続されている。なお、空気調和装置１１０を構成する通信Ｉ／Ｆ２１４は、空気調和装置１１０に内蔵されるものであってもよいし、外付けされるものであってもよい。
【００１８】  ＣＰＵ２１１は、空気調和装置１１０の動作を制御するプログラムを実行し、所定の処理を行う装置である。ＲＡＭ２１２は、ＣＰＵ２１１が実行するプログラムの実行空間を提供するための揮発性の記憶装置であり、プログラムやデータの格納用、展開用として使用される。ＲＯＭ２１３は、ＣＰＵ２１１が実行するプログラムやファームウェアなどを記憶するための不揮発性の記憶装置である。
【００１９】  通信Ｉ／Ｆ２１４は、空気調和装置１１０とネットワーク１３０とを接続し、ネットワーク１３０を介して、他の装置との通信を可能にするインターフェースである。通信Ｉ／Ｆ２１４の例としては、Ｗｉ−Ｆｉ（登録商標）モジュールなどが挙げられる。
【００２０】  熱交換ユニット２１５は、冷媒が通過する伝熱管、フィン、送風装置などから構成され、空気と冷媒との熱交換を行う装置である。室内機における熱交換ユニット２１５にあっては、冷媒と室内の空気とを熱交換して、調和空気として吐出する。センサ２１６は、室内の温度や湿度などを測定する装置である。空気調和装置１１０は、センサ２１６の測定値に基づいて、運転状態制御することができる。また、センサ２１６は、カメラなどの装置であってもよく、例えば空気調和装置１１０は、カメラが撮影した画像に基づいて、人がいる領域に送風するような構成であってもよい。
【００２１】  次に、図２（ｂ）を参照して、情報処理装置１２０のハードウェア構成について説明する。情報処理装置１２０は、ＣＰＵ２２１と、ＲＡＭ２２２と、ＲＯＭ２２３と、通信Ｉ／Ｆ２２４と、記憶装置２２５と、ディスプレイ２２６と、入力装置２２７とを含んで構成され、各ハードウェアはバスを介して接続されている。なお、ＣＰＵ２２１、ＲＡＭ２２２、ＲＯＭ２２３および通信Ｉ／Ｆ２２４は、図２（ａ）において説明した空気調和装置１１０のものと同様であるため、詳細な説明は省略する。
【００２２】  記憶装置２２５は、情報処理装置１２０を機能させるＯＳや各種アプリケーション、設定情報、各種データなどを記憶する、読み書き可能な不揮発性の記憶装置である。記憶装置２２５の一例としては、ＨＤＤ（Hard Disk Drive）やＳＳＤ（Solid State Drive）などが挙げられる。
【００２３】  ディスプレイ２２６は、各種データなどを、ユーザに対して表示する装置であり、例として、ＬＣＤ（Liquid Crystal Display）などが挙げられる。入力装置２２７は、ユーザが情報処理装置１２０を操作するための装置であり、例として、複数のボタンなどが挙げられる。なお、ディスプレイ２２６と入力装置２２７は、それぞれ別個の装置であってもよいし、タッチパネルディスプレイのような両方の機能を備えるものであってもよい。
【００２４】  以上、本実施形態の空気調和装置１１０および情報処理装置１２０のハードウェア構成について説明した。次に、本実施形態における各ハードウェアによって実行される機能手段について、図３を以て説明する。図３は、本実施形態のシステム１００を構成する各装置に含まれるソフトウェアブロック図である。
【００２５】  空気調和装置１１０は、制御部３１１、通信部３１２の各モジュールを含む。
【００２６】  制御部３１１は、空気調和装置１１０の運転動作を制御する手段である。制御部３１１は、例えば、空気調和装置１１０に付属するリモコンから受信した操作情報に基づいて、運転を制御することができる。また、制御部３１１は、情報処理装置１２０からの遠隔制御によって、空気調和装置１１０の運転を制御することもできる。空気調和装置１１０の運転の制御の例としては、運転のオン／オフや、運転モードの切り替え、温度設定、タイマー設定などが挙げられる。また、制御部３１１は、空気調和装置１１０の特殊な運転モードの実行を制御することができる。特殊な運転モードの具体的な例としては、強制冷房運転、ペルチェ素子点検運転、電気集塵点検運転、冷凍サイクル点検運転、センサ状態診断などが挙げられる。さらに、制御部３１１は、空気調和装置１１０のメンテナンスが行われている場合には、その状態を判定することができる。メンテナンスの例としては、内部清掃や各種部品の交換などが挙げられる。このようなメンテナンスが行われる場合には、筐体のパネルなどが開かれることから、制御部３１１は、空気調和装置１１０がメンテナンス中であることを判定することができる。なお、以下では、上述した各種の特殊な運転モードや、種々のメンテナンス、点検などを総称して、「保守管理」として参照するものとする。
【００２７】  通信部３１２は、通信Ｉ／Ｆ２１４を介してネットワーク１３０に接続し、情報処理装置１２０との種々の通信を行う手段である。通信部３１２は、例えば、情報処理装置１２０に対して、空気調和装置１１０の運転状態や保守管理を行っている旨などを送信することができる。また、通信部３１２は、情報処理装置１２０からの遠隔制御に係る指令を受信することができる。
【００２８】  情報処理装置１２０は、制御部３２１、通信部３２２、表示部３２３、操作部３２４の各モジュールを含む。
【００２９】  制御部３２１は、情報処理装置１２０の各種動作を制御する手段である。制御部３２１は、後述する操作部３２４が受け付けたユーザからの操作に基づいて、通信部３２２や表示部３２３などを制御することができる。また、制御部３２１は、空気調和装置１１０の状態に基づいて、遠隔制御ができるモードと、遠隔制御ができないモードとを切り替えることができる。例えば、制御部３２１は、空気調和装置１１０の保守管理が行われている状態である場合には、遠隔制御を行うことで当該保守管理に不都合が生じる蓋然性の高い制御を制限することができる。
【００３０】  通信部３２２は、通信Ｉ／Ｆ２２４を介してネットワーク１３０に接続し、空気調和装置１１０との種々の通信を行う手段である。通信部３２２は、例えば、後述する操作部３２４が受け付けた、空気調和装置１１０の遠隔制御に係る指令を、空気調和装置１１０に送信することができる。また、通信部３２２は、空気調和装置１１０の状態などの情報を受信することができる。通信部３２２が状態を受信した場合には、その状態をディスプレイ２２６に表示することができる。
【００３１】  表示部３２３は、ディスプレイ２２６を制御し、画像やテキストなどといった種々の情報をユーザに対して表示する手段である。表示部３２３における表示の例としては、空気調和装置１１０の遠隔制御の操作画面や、空気調和装置１１０の状態などが挙げられる。なお、表示部３２３によって表示される画面についての詳細は、後述する。
【００３２】  操作部３２４は、入力装置２２７を介して行われるユーザの操作を受け付ける手段である。操作部３２４が受け付ける操作は、例えば、空気調和装置１１０の遠隔制御に係る操作などが挙げられる。
【００３３】  なお、上述したソフトウェアブロックは、ＣＰＵ２１１，２２１が本実施形態のプログラムを実行することで、各ハードウェアを機能させることにより、実現される機能手段に相当する。また、各実施形態に示した機能手段は、全部がソフトウェア的に実現されても良いし、その一部または全部を同等の機能を提供するハードウェアとして実装することもできる。
【００３４】  ここまで、本実施形態のシステム１００の構成について説明した。次に、表示部３２３によって表示される画面について、図４および図５を以て説明する。図４および図５は、本実施形態の情報処理装置１２０において表示される画面の例を示す図である。なお、図４および図５に示す各画面の構成は一例であって、特に実施形態を限定するものではない。したがって、各画面は、図４および図５に示した項目以外のものを含んで表示する構成であってもよい。
【００３５】  図４（ａ）は、空気調和装置１１０を遠隔制御するアプリケーションのメニュー画面の例を示している。図４（ａ）に示すように、メニューの項目の例としては、「リアルタイム遠隔制御」、「タイマー設定」、「状態確認」などが挙げられる。ユーザがメニュー画面から項目を選択すると、各項目に対応した表示画面に遷移する。「リアルタイム遠隔制御」では、空気調和装置１１０の運転のオン／オフや、運転モードの選択、温度の設定などをリアルタイムで遠隔制御することができる。「タイマー設定」では、空気調和装置１１０の運転のオン／オフの予約を遠隔制御することができる。「状態確認」では、現在の空気調和装置１１０の状態や、空気調和装置１１０が設置されている部屋の状態などを表示することができる。
【００３６】  図４（ｂ）は、リアルタイム遠隔制御に関する画面の例を示しており、ユーザがメニュー画面から「リアルタイム遠隔制御」の項目を選択すると、図４（ｂ）に示す画面が表示される。図４（ｂ）に例示するリアルタイム遠隔制御画面には、運転のオン／オフを選択するボタンと、運転モードを選択するフィールドと、温度を設定するフィールドと、送信ボタンとが表示される。例えば、情報処理装置１２０を持って外出しているユーザは、リアルタイム遠隔制御画面において、操作部３２４を介して空気調和装置１１０の運転の設定をし、送信ボタンを押下する。送信ボタンの押下を契機に、情報処理装置１２０の通信部３２２は、リアルタイム遠隔制御画面において設定された遠隔制御情報を空気調和装置１１０に送信する。そして、空気調和装置１１０が遠隔制御情報を受信して、当該情報に基づいて運転状態を制御することで、ユーザは、外出先からでもリアルタイムに空気調和装置１１０を遠隔制御できる。
【００３７】  図５（ａ）は、タイマー設定に関する画面の例を示しており、ユーザがメニュー画面から「タイマー設定」の項目を選択すると、図５（ａ）に示す画面が表示される。図５（ｂ）に例示するタイマー設定画面には、時刻を設定するフィールドと、当該時刻に行う制御を選択するフィールドと、送信ボタンとが表示される。ユーザがタイマー設定画面において時刻や制御内容を設定して送信ボタンを押下すると、情報処理装置１２０の通信部３２２は、タイマー設定画面において設定されたタイマー設定情報を空気調和装置１１０に送信する。これによって、ユーザは、外出先においても空気調和装置１１０の運転の制御を予約することができる。
【００３８】  図５（ｂ）は、状態確認に関する画面の例を示しており、ユーザがメニュー画面から「状態確認」の項目を選択すると、図５（ｂ）に示す画面が表示される。図５（ｂ）に例示する状態確認画面には、空気調和装置１１０の運転状態を表示するフィールドと、空気調和装置１１０が設置されている部屋の温度や湿度を表示するフィールドが表示される。ユーザは、状態確認画面を見ることで、外出先においても、空気調和装置１１０の状態や、部屋の環境状態などを知ることができる。
【００３９】  次に、システム１００が実行する具体的な処理について説明する。図６は、本実施形態におけるシステム１００を構成する各装置が実行する処理を示すシーケンス図である。なお、図６の説明に際しては、適宜図７を参照するものとする。図７は、本実施形態において空気調和装置１１０がメンテナンス中である場合の情報処理装置１２０に表示される遠隔制御画面の例を示す図である。
【００４０】  本実施形態の空気調和装置１１０は、図６に示すように、いわゆるクラウドサーバとして構成されるネットワーク１３０に対して、定期的に自機の状態を通知する。また、図６に示すように、本実施形態のネットワーク１３０も同様に、情報処理装置１２０に対して定期的に空気調和装置１１０の状態を通知する。これによって、情報処理装置１２０は、空気調和装置１１０の状態を取得することができる。
【００４１】  例えば、空気調和装置１１０は、メンテナンスなどの特定の運転を行っていない場合には、ステップＳ１０１〜Ｓ１０３のように、自機の状態が「非メンテナンス状態」である旨をネットワーク１３０に通知する。また、空気調和装置１１０から通知を受けたネットワーク１３０は、ステップＳ２０１、Ｓ２０２において、情報処理装置１２０に対して、空気調和装置１２０の状態が「非メンテナンス状態」である旨を通知する。
【００４２】  ここで、図６に示すように、ステップＳ１０３の後に、空気調和装置１１０がメンテナンスを開始したものとする。この場合、空気調和装置１１０は、ステップＳ１０４において、ネットワーク１３０に対して、自機の状態が「メンテナンス中」である旨を通知する。そして、ネットワーク１３０は、ステップＳ２０３において、空気調和装置１１０の状態が「メンテナンス中」である旨を、情報処理装置１２０に通知する。
【００４３】  空気調和装置１１０がメンテナンスを行っている際に、情報処理装置１２０からのリアルタイム遠隔制御によって空気調和装置１１０の運転が開始されると、メンテナンスが中断され、適切なメンテナンスを行うことができない。したがって、情報処理装置１２０は、「メンテナンス中」の状態情報を受信すると、図６に示すようにリアルタイム遠隔制御に関する操作を拒否するモードに切り替える。これによって、メンテナンス中のリアルタイム遠隔制御を制限でき、適切にメンテナンスを継続することができる。
【００４４】  情報処理装置１２０が操作拒否モードに切り替わると、例えばリアルタイム遠隔制御画面は、図７（ａ）に示すような表示となる。すなわち、操作拒否モードにおけるリアルタイム遠隔制御画面は、送信ボタンがグレーアウトして表示され、送信ボタンが押下できない構成となる。これによって、ユーザは、リアルタイム遠隔制御が行えないことを把握できる。なお、操作拒否モードを示す画面は図７（ａ）に示したものに限定されず、例えば、図４（ａ）のメニュー画面の「リアルタイム遠隔制御」の項目がグレーアウトして表示される形態であってもよい。
【００４５】  なお、情報処理装置１２０が操作拒否モードであっても、空気調和装置１１０の保守管理に影響を与えない操作は行うことができる。したがって、例えば、操作拒否モードであっても、情報処理装置１２０は、タイマー設定や、状態確認などは行うことができる。また、空気調和装置１１０についても同様に、タイマー設定による運転の予約や状態確認などの操作は、受け付けることができる。
【００４６】  説明を図６に戻す。ところで、空気調和装置１１０がメンテナンスを開始してから、情報処理装置１２０が操作拒否モードに切り替わるまで、図６に示すようなタイムラグが生じる。したがって、ユーザは、このタイムラグの間にリアルタイム遠隔制御を行うことができる。そのため、メンテナンス中にリアルタイム遠隔制御が行われる場合があり、空気調和装置１１０にとって好ましくない。そこで、本実施形態の空気調和装置１１０は、メンテナンス中にリアルタイム遠隔制御拒否モードに切り替える。リアルタイム遠隔制御拒否モードの空気調和装置１１０は、情報処理装置１２０からリアルタイム遠隔制御の指令を受信しても、その指令を受け付けず、遠隔制御を実行しない。これによって、モード切替タイムラグの間であってもリアルタイム遠隔制御が行われないため、空気調和装置１１０は、メンテナンスを継続することができる。
【００４７】  なお、空気調和装置１１０は、リアルタイム遠隔制御拒否モードにおいてリアルタイム遠隔制御の指令を受信すると、遠隔制御ができない旨を情報処理装置１２０に通知する。当該通知を受けた情報処理装置１２０は、例えば図７（ｂ）に示すような画面を表示することで、ユーザに対して空気調和装置１１０の状態を知らせることができ、ユーザの利便性をさらに向上できる。
【００４８】  再び説明を図６に戻す。メンテナンスを実行している空気調和装置１１０は、ステップＳ１０４〜Ｓ１０９において、状態が「メンテナンス中」である旨をネットワーク１３０に通知する。また、ネットワーク１３０は、ステップＳ２０３〜Ｓ２０６において、空気調和装置１１０の状態が「メンテナンス中」である旨を情報処理装置１２０に通知する。情報処理装置１２０は、「メンテナンス中」の通知を受領している間は、操作拒否モードを継続する。
【００４９】  その後、空気調和装置１１０がメンテナンスを終了した後のステップＳ１１０において、空気調和装置１１０は、「非メンテナンス状態」である旨をネットワーク１３０に通知する。そして、ネットワーク１３０は、ステップＳ２０７において、空気調和装置１１０の状態が「非メンテナンス状態」である旨を情報処理装置１２０に通知する。情報処理装置１２０は、ステップＳ２０７の通知を受けて、操作拒否モードを終了し、リアルタイム遠隔制御の受け付けが可能なモードに切り替える。なお、空気調和装置１１０は、メンテナンスの終了に伴い、リアルタイム遠隔制御拒否モードを終了する。
【００５０】  上述した処理によって、システム１００は、リアルタイム遠隔制御を適切に制限することができる。なお、空気調和装置１１０からネットワーク１３０へ通知する頻度（ステップＳ１０１〜Ｓ１１２）およびネットワーク１３０から情報処理装置１２０へ通知する頻度（ステップＳ２０１〜Ｓ２０８）は、図６に示したものに限定されず、それぞれ任意の頻度で通知するものであってよい。
【００５１】  また、図６における説明では、保守管理の一例として、空気調和装置１１０がメンテナンスをする場合を例示したが、特に実施形態を限定するものではない。したがって、他の保守管理であってもよく、例えば、メーカのサービスマンなどが点検をしている場合、部品交換をしている場合、内部を清掃している場合、空気調和装置１１０が自己診断をしている場合、その他特殊な運転をしている場合などであっても、図６に示した処理を行い、リアルタイム遠隔制御を制限することとしてもよい。
【００５２】  以上、説明した本発明の実施形態によれば、ネットワークを介した空気調和装置の遠隔制御を制限するシステム、情報処理装置、空気調和装置、方法およびプログラムを提供することができる。
【００５３】  上述した本発明の実施形態の各機能は、Ｃ、Ｃ＋＋、Ｃ＃、Ｊａｖａ（登録商標）等で記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ（登録商標）、ＥＰＲＯＭ等の装置可読な記録媒体に格納して頒布することができ、また他装置が可能な形式でネットワークを介して伝送することができる。
【００５４】  以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【００５５】１００…システム、１１０…空気調和装置、１２０…情報処理装置、１３０…ネットワーク、２１１，２２１…ＣＰＵ、２１２，２２２…ＲＡＭ、２１３，２２３…ＲＯＭ、２１４，２２４…通信Ｉ／Ｆ、２１５…熱交換ユニット、２１６…センサ、２２５…記憶装置、２２６…ディスプレイ、２２７…入力装置、３１１，３２１…制御部、３１２，３２２…通信部、３２３…表示部、３２４…操作部 
【図１】
2021074984.tif 000003
【図２】
2021074984.tif 000004
【図３】
2021074984.tif 000005
【図４】
2021074984.tif 000006
【図５】
2021074984.tif 000007
【図６】
2021074984.tif 000008
【図７】
2021074984.tif 000009
【手続補正書】
【提出日】令和3年9月14日(2021.9.14)
【手続補正１】
【補正対象書類名】特許請求の範囲
【補正対象項目名】全文
【補正方法】変更
【補正の内容】
【特許請求の範囲】
【請求項１】
空気調和装置を遠隔制御するシステムであって、
前記空気調和装置の動作をリアルタイムで制御する第１の指令および前記空気調和装置の動作を予約する第２の指令のうち、少なくとも１つの指令を送信して、前記空気調和装置を遠隔制御する制御手段を含み、
前記制御手段は、
前記空気調和装置の状態に応じて、前記第１の指令の送信を制限し、かつ、前記第２の指令の送信を受け付けることを特徴とする、
システム。
【請求項２】
前記制御手段は、前記空気調和装置の保守管理が行われている場合に、前記第１の指令の送信を制限し、かつ、前記第２の指令の送信を受け付けることを特徴とする、
請求項１に記載のシステム。
【請求項３】
前記空気調和装置は、
保守管理が行われている場合に、前記制御手段による前記第１の指令を受け付けないモードに切り替えることを特徴とする、
請求項１または２に記載のシステム。
【請求項４】
前記空気調和装置の遠隔制御に係る操作画面を表示する表示手段を含み、
前記表示手段は、前記空気調和装置の状態に応じて、前記制御手段による制限が行われている旨を前記操作画面に表示することを特徴とする、
請求項１〜３のいずれか１項に記載のシステム。
【請求項５】
空気調和装置を遠隔制御する情報処理装置であって、
前記空気調和装置の動作をリアルタイムで制御する第１の指令および前記空気調和装置の動作を予約する第２の指令のうち、少なくとも１つの指令を送信して、前記空気調和装置を遠隔制御する制御手段を含み、
前記制御手段は、
前記空気調和装置の状態に応じて、前記第１の指令の送信を制限し、かつ、前記第２の指令の送信を受け付けることを特徴とする、
を含む、情報処理装置。
【請求項６】
ネットワークを介して情報処理装置からの遠隔制御が可能な空気調和装置であって、
当該空気調和装置の保守管理が行われている場合に、前記情報処理装置からの遠隔制御を受け付けないモードに切り替えることを特徴とする、
空気調和装置。
【請求項７】
空気調和装置を遠隔制御する情報処理装置が実行する方法であって、
前記空気調和装置の状態を受信するステップと、
前記受信するステップにおいて受信した前記空気調和装置の状態に応じて、前記空気調和装置の動作をリアルタイムで制御する第１の指令の送信を制限し、かつ、前記空気調和装置の動作を予約する第２の指令の送信を受け付けるモードに切り替えるステップと
を含む、方法。
【請求項８】
空気調和装置を遠隔制御する情報処理装置が実行するプログラムであって、前記情報処理装置を
前記空気調和装置の動作をリアルタイムで制御する第１の指令および前記空気調和装置の動作を予約する第２の指令のうち、少なくとも１つの指令を送信して、前記空気調和装置を遠隔制御する制御手段として機能させ、
前記制御手段は、
前記空気調和装置の状態に応じて、前記第１の指令の送信を制限し、かつ、前記第２の指令の送信を受け付けることを特徴とする、
プログラム。
【国際調査報告】
2021074984.tif 000010
2021074984.tif 000011
2021074984.tif 000012
2021074984.tif 000013